(57)【特許請求の範囲】
【請求項１】
車幅方向に延びるバックドア上部と、当該バックドア上部の両端からドアコーナ部を経て下方に延びる左右のバックドア側部と、当該左右のバックドア側部の下端につながるバックドア裾部とを有し、左右一対のヒンジ取付け部と、左右一対のダンパステー連結部とが設けられたバックドアインナパネルを有する樹脂製バックドアの補強構造であって、
上記ドアコーナ部は、内側コーナ壁と、外側コーナ壁とを有するとともに、それらの底部が中間部を介して連結された凹溝状をしており、一端が上記内側コーナ壁に連結され、他端が上記外側コーナ壁に連結され、かつ上記内側コーナ壁から上記外側コーナ壁にかけて放射状に配置された複数のリブを備えることを特徴とする、樹脂製パックドアの補強構造。
【発明の詳細な説明】
【技術分野】
【０００１】
本発明は、樹脂製バックドアの補強構造に関する。
【背景技術】
【０００２】
近年、車両の軽量化を目的として、バックドアを樹脂製とする場合がある。樹脂製のバックドアは、板金製のバックドアと同様、車体後部開口の上縁に沿って車幅方向に延びるバックドア上部と、バックドア上部の両端から車体後部開口の左右側縁に沿って上下方向に延びる左右一対のバックドア側部と、これら左右一対のバックドア側部の下方につながり、車体後部開口の下方を閉じるバックドア裾部とを有する。バックドア上部と、左右一対のバックドア側部と、バックドア裾部の上縁で囲まれた部分には、ガラスが嵌め込まれ、リアウインドを形成する。
【０００３】
バックドアは、バックドア上部が左右一対のヒンジを介して車体に回動可能に連結され、バックドア裾部の下部中央がロック機構を介して車体に連携される。また、バックドアは、通常、左右一対のダンパステーにより、常時はね上げ回動するように付勢される。このことは、バックドアには、これが閉じた状態においても、ダンパステーにより常時下方に押し下げようとする力が作用することを意味する。ダンパステーは、その上端が車体の後部開口の両側に近い内側上方部位に連結される一方、その下端がバックドアの内面、具体的には左右一対のバックドア側部に近いバックドア裾部の内面適所に連結される。通常、ダンパステーの下端が連結される部位は、左右のヒンジよりも車幅方向外方に位置する。したがって、バックドア上部におけるヒンジが設けられる箇所から左右のバックドア側部にかけてのドアコーナ部には、常時曲げ力が作用することになる。
【０００４】
バックドアを樹脂製とする場合、特にドアコーナ部の剛性が不足すると、経時的にドアコーナ部が変形を起こしてバックドア側部ないしバックドア裾部の位置が設計位置よりも下がり、バックドアの建て付け品位が低下したり、ロック機構が作動不良を起こすという問題が生じることがある。
【０００５】
特許文献１には、樹脂製バックドアのバックドア上部におけるヒンジ取付け位置からドアコーナ部を経て左右のバックドア側部に至る領域の内部にＬ字状の補強部材を設けることにより、ドアコーナ部の剛性を高めて上記の問題を解消しようとした構成が開示されている。
【０００６】
しかしながら、かかる補強部材を設けて樹脂製バックドアのドアコーナ部の剛性向上を図るという手法には、バックドアの部品点数と組立工数の増加という問題が残存する。
【先行技術文献】
【特許文献】
【０００７】
【特許文献１】特開２００７−２１６８７０号公報
【発明の概要】
【発明が解決しようとする課題】
【０００８】
本発明は、上記した事情のもとで考え出されたものであって、部品点数の増加や組立工数の増加を招くことなく、効果的にドアコーナ部の剛性を向上させた樹脂製バックドアの補強構造を提供することをその課題とする。
【課題を解決するための手段】
【０００９】
上記課題を解決するため、本発明では、次の技術的手段を採用した。
【００１０】
本発明によって提供される樹脂製バックドアの補強構造は、車幅方向に延びるバックドア上部と、当該バックドア上部の両端からドアコーナ部を経て下方に延びる左右のバックドア側部と、当該左右のバックドア側部の下端につながるバックドア裾部とを有し、左右一対のヒンジ取付け部と、左右一対のダンパステー連結部とが設けられたバックドアインナパネルを有する樹脂製バックドアの補強構造であって、上記ドアコーナ部は、内側コーナ壁と、外側コーナ壁とを有するとともに、それらの底部が中間部を介して連結された凹溝状をしており、一端が上記内側コーナ壁に連結され、他端が上記外側コーナ壁に連結され、かつ上記内側コーナ壁から上記外側コーナ壁にかけて放射状に配置された複数のリブを備えることを特徴とする。
【発明の効果】
【００１１】
ダンパステーによってバックドアインナパネルに下向きの力が作用し続けると、ドアコーナ部が変形しようとし、この変形は、具体的には、凹溝状のドアコーナ部の内側コーナ壁に対して外側コーナ壁が拡開しようとする現象として現れる。上記構成のバックドアの補強構造によれば、内側コーナ壁と外側コーナ壁との間が複数のリブによって連結されるので、上記した内側コーナ壁と外側コーナ壁間の拡開が防止もしくは抑制され、このことは、ドアコーナ部に作用する下向きの曲げ力に対する剛性が高められたことを意味する。
【００１２】
これにより、別途の補強部材を要せずして、樹脂製バックドアのドアコーナ部の剛性を効果的に高めることができ、ダンパステーにより常時下向きの力が作用することによるバックドアの変形を防止もしくは抑制することができる。
【００１３】
本発明のその他の特徴および利点は、図面を参照して以下に行う詳細な説明から、より明らかとなろう。
【図面の簡単な説明】
【００１４】
【図１】本発明の一実施形態に係るバックドアインナパネルを後方側から見た斜視図である。
【図２】図１のII-II線に沿う拡大断面図である。
【図３】図１に示したバックドアインナパネルを前方側（車室側）から見た斜視図である。
【図４】図１に示したバックドアインナパネルの右側ドアコーナ部の拡大図である。
【発明を実施するための形態】
【００１５】
以下、本発明の好ましい実施の形態につき、図面を参照して具体的に説明する。
【００１６】
図１〜図４は、本発明の一実施形態に係る樹脂製バックドアＡを示し、図１は、バックドアインナパネル１００を後方側から見た斜視図、図２は、図１のII-II線に沿う拡大断面図、図３は、バックドアインナパネルを車室側（前方側）から見た斜視図、図４は、図１に示したバックドアインナパネルの右側ドアコーナ部の拡大図である。
【００１７】
バックドアインナパネル１００とバックドアアウタパネル（図示略）とにより、これらを合わせるようにして、バックドアＡが形成される。図１および図３に示されるバックドアインナパネル１００は、全体が樹脂成形によって形成されている。
【００１８】
バックドアインナパネル１００は、車体の後部開口の上縁に沿って車幅方向に延びるバックドア上部１１０と、バックドア上部１１０の左右両端からドアコーナ部３００を経て車体後部開口の左右側縁に沿って上下方向に延びるバックドア左側部１２１およびバックドア右側部１２２と、これらバックドア左側部１２１およびバックドア右側部１２２の下方につながり、車体後部開口の下方を閉じるバックドア裾部１３０と、を有する。バックドア上部１１０と、バックドア左側部１２１と、バックドア右側部１２２と、バックドア裾部１３０の上縁とで囲まれる領域は、ウインド部１４０を形成し、バックドアＡが構成されたときにこの領域には、ウインドガラス（図示略）が嵌め込まれる。
【００１９】
バックドア上部１１０には、左右一対のヒンジ取付け部１１１，１１２が設けられている。バックドアＡは、このヒンジ取付け部１１１，１１２に取付けられたヒンジ（図示略）を介して車体の後部開口の上部に対してはね上げ開閉回動可能に連結される。
【００２０】
バックドア裾部１３０の左右上部、すなわち、バックドア左側部１２１とバックドア右側部１２２との連結部付近には、ダンパステー連結部１３５が設けられている。このダンパステー取付け部１３５には、一端が車体側に連結された左右のダンパステー（図示略）の他端が連結され、バックドアＡは、このダンパステー（図示略）により、常時はね上げ方向に付勢される。このことは、バックドアＡには、ダンパステー取付け部１３５おいて、ダンパステー（図示略）による下向きの力が常時作用することを意味する。
【００２１】
バックドア裾部１３０の下部中央には、ロック機構取付け部１３１が設けられている。バックドアＡは、このロック機構取付け部１３１に取付けられたロック機構（図示略）が車体後部開口の下縁に設けられるストライカ（図示略）に係合して車体に連携され、車体後部開口を閉じた状態が保持される。
【００２２】
バックドアインナパネル１００はまた、その外周に外向きフランジ部１０１が形成され、また、ウインド部１４０の内周にも、内向きフランジ部１０２が形成されている。これら外向きフランジ部１０１と内向きフランジ部１０２は、バックドアアウタパネル（図示略）に設けた対応する外向きフランジ部（図示略）と内向きフランジ部（図示略）に合わされて、最中状に接合されたバックドアＡを形成する。
【００２３】
バックドアインナパネル１００における外向きフランジ部１０１と内向きフランジ部１０２以外の領域は、全体として、外向きフランジ部１０１と内向きフランジ部１０２に対して車室側（前方側）に膨出させられている。したがって、バックドア上部１１０からドアコーナ部３００を経てバックドア左側部１２１およびバックドア右側部１２２にかけては、図２に示すように、コ字状断面ないしハット状断面部２１０となっている。
【００２４】
左右のドアコーナ部３００は、詳細には、図１および図４に表れているように、次のように構成されている。すなわち、ドアコーナ部３００は、内向きフランジ部１０２につながって前方側（車室側）に折れ込む内側コーナ壁３１１と、外向きフランジ部１０１につながって前方側（車室側）に折れ込む外側コーナ壁３１２と、これら内側コーナ壁３１１と外側コーナ壁３１２の前方側底部どうしをつなげる中間部３１３とからなる凹溝状をしている。左右のドアコーナ部３００にはまた、一端が内側コーナ壁３１１に連結され、他端が外側コーナ壁３１２に連結され、かつ内側コーナ３１１壁から外側コーナ壁３１２にかけて放射状に配置された複数のリブ３２０が形成されている。これらのリブ３２０は、凹溝状の底部を形成する中間部３１３にも連結されている。また、左右のドアコーナ部３００には、放射状に延びる複数のリブ３２０をつなぐようにしてドアコーナ部３００の変曲に沿って延び、かつ、中間部３１３から起立する複数の補助リブ３３０が形成されている。
【００２５】
バックドア裾部１３０については、その外周部が車室側（前方側）に膨出させられた環状膨出部１３２とされ、この環状膨出部１３２の内側は、後方側に凹入させられた凹入部１３３とされている。なお、環状膨出部１３２は、バックドア左側部１２１およびバックドア右側部１２２のコ字状断面ないしハット状断面部２１０につなげられている。
【００２６】
バックドア裾部１３０の上記凹入部１３３には、ロック機構取付け部１３１と、バックドア左側部１２１およびバックドア右側部１２２とバックドア裾部１３０との左右の連結部１５１，１５２とをそれぞれつなぐ斜め方向に沿って延びる左ビード２２１および右ビード２２２が形成されている。この左ビード２２１および右ビード２２２は、凹入部１３３から再び車室側に断面コ字状に膨出する形態とされている。
【００２７】
そして、バックドア裾部１３０における環状膨出部１３２と上記コ字状断面ないしハット状断面部２１０とがつながる部分には、リブ２３１，２３２が形成されている。このリブ２３１，２３２は、本実施形態では、上記左ビード２２１および右ビード２２２に実質的につながる上下方向の縦リブ２３１と、水平方向の横リ２３２とによって構成され、この縦リブ２３１と横リブ２３２は、いずれも、上記コ字状断面ないしハット状断面部の内面に連結されている。
【００２８】
次に、上記構成を有する樹脂製バックドアの補強構造の作用について、説明する。
【００２９】
ダンパステー（図示略）によってバックドアインナパネル１００のダンパステー連結部１３５に下向きの力が作用し続けると、ドアコーナ部３００に曲げ応力が集中し、このドアコーナ部３００が変形しようとする。この変形は、ドアコーナ部３００の内側コーナ壁３１１に対して外側コーナ壁３１２が拡開しようとする現象として現れる。本実施形態に係るドアインナパネル１００のドアコーナ部３００においては、内側コーナ壁３１１と外側コーナ壁３１２との間が複数のリブ３２０によって互いに連結されているので、上記した内側コーナ壁３１１に対する外側コーナ壁３１２の拡開現象が防止もしくは抑制される。このことは、ドアコーナ部３００に作用する下向きの曲げ力に対する剛性が高められることを意味する。
【００３０】
また、複数のリブ３２０の一端は、本来的に剛性が高い内側コーナ壁３１１から放射状に延びるように配置されているので、ドアコーナ部の変形を防止する際に各リブ３２０に作用する引っ張り力を効果的に内側コーナ壁３１１に受け止めさせることができる。本実施形態では、複数のリブ３２０に加え、これら複数のリブ３２０をつなぐ補助リブ３３０が形成されているので、各リブ３２０に引っ張り力が作用した際にこれらのリブ３２０の倒れを防止することができる。これにより、本実施形態では、ドアコーナ部３００に作用する曲げ力に対する剛性をさらに高めることができる。
【００３１】
これにより、別途の補強部材を要せずして、樹脂製バックドアのドアコーナ部３００の剛性を効果的に高めることができ、ダンパステー（図示略）により常時下向きの力が作用することによるバックドアＡの変形を防止もしくは抑制することができ、経時的なバックドアＡの建て付け品位の低下や、ロック機構の作動不良の発生を防止もしくは軽減することができる。
【００３２】
もちろん、この発明の範囲は上記した実施形態に限定されることはなく、特許請求の範囲に記載した事項の範囲内でのあらゆる設計変更は、すべて本発明の範囲に含まれる。
【００３３】
なお、本発明は、上記の構成に加えて、別途のリインホースメントを設けて、バックドアのドアコーナ部の剛性をより高くすることを除外するものではない。
【符号の説明】
【００３４】
Ａ        バックドア
１００    バックドアインナパネル
１０１    外向きフランジ部
１０２    内向きフランジ部
１１０    バックドア上部
１１１    ヒンジ取付け部
１１２    ヒンジ取付け部
１２１    バックドア左側部
１２２    バックドア右側部
１３０    バックドア裾部
１３１    ロック機構取付け部
１３２    環状膨出部
１３３    凹入部
１３５    ダンパステー連結部
１４０    ウインド部
１５１    連結部（左）
１５２    連結部（右）
２１０    コ字状断面部
２１１    対向内面
２１２    対向内面
２２１    左ビード
２２２    右ビード
２３１    リブ（縦）
２３２    リブ（横）
３００    ドアコーナ部
３１１    内側コーナ壁
３１２    外側コーナ壁
３１３    中間部
３２０    リブ
３３０    補助リブ
【図１】
0006587549.tif 000002
【図２】
0006587549.tif 000003
【図３】
0006587549.tif 000004
【図４】
0006587549.tif 000005